(57)【要約】【課題】調光ガラスを用いることによって、放送現場において柔軟に外光の変化に対応することを可能とする調光ガラス制御システムを提供する。【解決手段】本発明に係る調光ガラス制御システムは、２枚の板ガラス４２の間に液晶層４３及び４４と該液晶層４３及び４４を駆動するための透明電極４１ａ及び４１ｂとを有する調光ガラス４０と、屋内の被写体の明るさを計測する屋内明るさ計測部１１と、屋外の被写体の明るさを計測する屋外明るさ計測部１２と、屋内の被写体の明るさと屋外の被写体の明るさとに基づいて透明電極４１ａ及び４１ｂに印加する電圧を制御する明るさ制御部２３とを具備する。【選択図】      図４
2004150201.tif 000002
【特許請求の範囲】
【請求項１】
２枚の板ガラスの間に挿入された液晶層及び該液晶層を駆動するための透明電極を有する調光ガラスと、
屋内の被写体の明るさを計測する屋内明るさ計測部と、
屋外の被写体の明るさを計測する屋外明るさ計測部と、
前記屋内の被写体の明るさと前記屋外の被写体の明るさとに基づいて、前記透明電極に印加する電圧を制御する明るさ制御部とを具備することを特徴とする調光ガラス制御システム。
【請求項２】
前記明るさ制御部は、前記屋内の被写体の明るさ及び前記屋外の被写体の明るさが等しくなるように、前記透明電極に印加する電圧を制御することを特徴とする請求項１に記載の調光ガラス制御システム。
【請求項３】
前記調光ガラスは、第１の液晶層及び第２の液晶層を有し、
前記明るさ制御部は、前記屋内の被写体の明るさと前記屋外の被写体の明るさとに基づいて、前記第１の液晶層を駆動するための透明電極に印加する電圧を制御し、
屋内の色温度を計測する屋内色温度計測部と、
屋外の色温度を計測する屋外色温度計測部と、
前記屋内の色温度と前記屋外の色温度とに基づいて、前記第２の液晶層を駆動するための透明電極に印加する電圧を制御する色温度制御部とを具備することを特徴とする請求項１又は２に記載の調光ガラス制御システム。
【請求項４】
前記色温度制御部は、前記屋内の色温度及び前記屋外の色温度が等しくなるように、前記第２の液晶層を駆動するための透明電極に印加する電圧を制御することを特徴とする請求項３に記載の調光ガラス制御システム。
【請求項５】
前記第１の液晶層の代わりに、エレクトロクロミックデバイスを具備し、
前記明るさ制御部は、前記屋内の被写体の明るさと前記屋外の被写体の明るさとに基づいて、前記エレクトロクロミックデバイスに印加する電圧を制御することを特徴とする請求項３又は４に記載の調光ガラス制御システム。
【請求項６】
前記明るさ制御部は、前記屋内の被写体の明るさ及び前記屋外の被写体の明るさが等しくなるように、前記エレクトロクロミックデバイスに印加する電圧を制御することを特徴とする請求項５に記載の調光ガラス制御システム。
【請求項７】
前記第１及び第２の液晶層は、ゲスト−ホスト型液晶材料により形成されることを特徴とする請求項３乃至６のいずれか一項に記載の調光ガラス制御システム。
【発明の詳細な説明】
【０００１】
【発明の属する技術分野】
本発明は、調光ガラスを制御する調光ガラス制御システムに関する。
【０００２】
【従来の技術】
現在、部屋の中から窓ガラスの外を背景にしてニュース等の放送を行うケースが増えている。かかる場合、部屋の中（屋内）に比べて窓ガラスの外（屋外）の方が明るいため、減光（ＮＤ：Ｎｅｕｔｒａｌ  Ｄｅｎｓｉｔｙ）フィルタを窓ガラスに貼って屋外の明るさを下げる方法や、屋内照明の明るさを上げる方法が採られている。また、かかる場合、屋内の色温度と屋外の色温度とを等しくするために、屋内照明として外光の色温度に近い照明器具が使用されている（例えば、非特許文献１）。
【０００３】
【非特許文献１】
〔ｏｎｌｉｎｅ〕、平成１４年１０月３１日検索、株式会社武蔵野あかり事業部、カタログ、インターネット＜ＵＲＬ：ｈｔｔｐ：／／ｗｗｗ．ｍｕｓａｓｈｉｎｏ．ｃｏ．ｊｐ／ａｋａｒｉ／ｃａｔａｌｏｇ＿０４．ｈｔｍ＞
【０００４】
【発明が解決しようとする課題】
しかしながら、上述のような従来の方法では、減光フィルタを窓ガラスにうまく貼ることができない場合に、屋内と屋外の明るさの調整がうまく取れないという問題点があった。
【０００５】
また、従来の方法では、窓ガラスに特定種類の減光フィルタが貼られているため、屋外の明るさが急激に変化した場合、柔軟に屋内と屋外の明るさの調整を行うことができない、すなわち、外光の変化に対応しきれないという問題点があった。
【０００６】
さらに、従来の方法では、照明器具としてＨＭＩ（Ｈｙｄｒｏｇｙｒｕｍ  Ｍｉｄｉｕｍ−ａｒｃ−ｌｅｎｇｔｈ  Ｉｏｄｉｄｅ）ライトを用いた場合、調光することが困難であるという問題点があった。また、照明器具としてハロゲンライトやタングステンライトを用いた場合であっても、柔軟に屋内と屋外の色温度の調整（ホワイトバランス）を行うことができない、すなわち、外光の変化に対応しきれないという問題点があった。
【０００７】
そこで、本発明は、以上の点に鑑みてなされたもので、液晶ガラスのような調光ガラスを用いることによって、放送現場において柔軟に外光の変化に対応することを可能とする調光ガラス制御システムを提供することを目的とする。
【０００８】
【課題を解決するための手段】
本発明の第１の特徴は、２枚の板ガラスの間に挿入された液晶層及び該液晶層の各々を駆動するための透明電極を有する調光ガラスと、屋内の被写体の明るさを計測する屋内明るさ計測部と、屋外の被写体の明るさを計測する屋外明るさ計測部と、前記屋内の被写体の明るさと前記屋外の被写体の明るさとに基づいて、前記透明電極に印加する電圧を制御する明るさ制御部とを具備することを要旨とする。
【０００９】
本発明の第１の特徴において、前記明るさ制御部が、前記屋内の被写体の明るさ及び前記屋外の被写体の明るさが等しくなるように、前記透明電極に印加する電圧を制御することが好ましい。
【００１０】
かかる発明によれば、明るさ制御部が、屋内明るさ計測部により計測された屋内の被写体の明るさと屋外明るさ計測部により計測された屋外の被写体の明るさとに基づいて液晶層を駆動する透明電極に印加する電圧を制御するため、屋内照明を変えることなく、外光の変化に追随して屋内と屋外の被写体の明るさの調整を自動的に行うことができる。
【００１１】
また、本発明の第１の特徴において、前記調光ガラスが、第１の液晶層及び第２の液晶層を有し、前記明るさ制御部が、前記屋内の被写体の明るさと前記屋外の被写体の明るさとに基づいて、前記第１の液晶層を駆動するための透明電極に印加する電圧を制御し、屋内の色温度を計測する屋内色温度計測部と、屋外の色温度を計測する屋外色温度計測部と、前記屋内の色温度と前記屋外の色温度とに基づいて、前記第２の液晶層を駆動するための透明電極に印加する電圧を制御する明るさ制御部とを具備することが好ましい。
【００１２】
また、本発明の第１の特徴において、前記色温度制御部が、前記屋内の色温度及び前記屋外の色温度が等しくなるように、前記第２の液晶層を駆動するための透明電極に印加する電圧を制御することが好ましい。
【００１３】
かかる発明によれば、色温度制御部が、屋内色温度計測部により計測された屋内の色温度と屋外色温度計測部により計測された屋外の色温度とに基づいて第２の液晶層を駆動する透明電極に印加する電圧を制御するため、減光フィルタを用いることなく、外光の変化に追随して屋内と屋外の色温度の調整を自動的に行うことができる。
【００１４】
また、本発明の第１の特徴において、前記第１の液晶層に代わりに、エレクトロクロミックデバイスを具備し、前記明るさ制御部が、前記屋内の被写体の明るさと前記屋外の被写体の明るさとに基づいて、前記エレクトロクロミックデバイスに印加する電圧を制御することが好ましい。
【００１５】
また、本発明の第１の特徴において、前記明るさ制御部が、前記屋内の被写体の明るさ及び前記屋外の被写体の明るさが等しくなるように、前記エレクトロクロミックデバイスに印加する電圧を制御することが好ましい。
【００１６】
かかる発明によれば、明るさ制御部が、屋内明るさ計測部により計測された屋内の被写体の明るさと屋外明るさ計測部により計測された屋外の被写体の明るさとに基づいてエレクトロクロミックデバイスに印加する電圧を制御するため、減光フィルタを用いることなく、外光の変化に追随して屋内と屋外の明るさの調整を自動的に行うことができる。
【００１７】
また、本発明の第１の特徴において、前記第１及び第２の液晶層が、ゲスト−ホスト型液晶材料により形成されることが好ましい。
【００１８】
【発明の実施の形態】
（本発明の一実施形態に係る調光ガラス制御システムの構成）
本発明の一実施形態に係る調光ガラス制御システムの構成について図１乃至図４を参照しながら説明する。
【００１９】
図１は、本実施形態に係る調光ガラス制御システムの全体構成図である。図１は、本実施形態に係る調光ガラス制御システムとカメラ２と照明３とが設置された放送現場（屋内）から液晶ガラス４０の外（屋外）を背景にしてニュース番組を撮影している様子を示している。ここで、カメラ２は、放送番組を撮影するための通常の放送撮影器具であり、照明３は、ＨＭＩライトのように通常の放送現場で使用される照明機具である。
【００２０】
図１に示すように、本実施形態に係る調光ガラス制御システムは、計測器１０と、制御装置２０と、液晶ガラス４０とを具備している。
【００２１】
計測器１０は、図２に示すように、屋内色温度計測器１１と、屋外色温度計測器１２と、屋内明るさ計測器１３と、屋外明るさ計測器１４と、制御装置インターフェース部１５とを具備している。
【００２２】
屋内色温度計測器１１は、屋内の色温度を計測する屋内色温度計測部であり、屋外色温度計測器１２は、屋外の色温度を計測する屋外色温度計測部である。
【００２３】
屋内色温度計測器１１は、液晶ガラス４０の内側で照明３によって照らされている放送現場内の光の色温度（単位はケルビン（Ｋ））を計測して制御装置インターフェース部１５に送信する。一方、屋外色温度計測器１２は、液晶ガラス４０の外側で照らされている外光の色温度（単位はケルビン（Ｋ））を計測して制御装置インターフェース部１５に送信する。
【００２４】
屋内明るさ計測器１３は、屋内の被写体の明るさを計測する屋内明るさ計測部であり、屋外明るさ計測器１４は、屋外の被写体の明るさを計測する屋外明るさ計測部である。
【００２５】
屋内明るさ計測器１３は、放送現場内の被写体、例えば人物１の明るさを計測して制御装置インターフェース部１５に送信する。一方、屋外明るさ計測器１４は、屋外の被写体、例えば窓ガラスから最も目立つ建物の明るさを計測して制御装置インターフェース部１５に送信する。
【００２６】
ここで、屋内明るさ計測器１３及び屋外明るさ計測器１４は、被写体の明るさとして、照度や輝度やＦ値（しぼり値）等を計測する。照度とは、ある面に入射する、単位面積、単位時間当たりの光のエネルギーのことをいい、その単位は、ルックス（Ｌｘ）である。
【００２７】
制御装置インターフェース部１５は、屋内色温度計測器１１から送信された屋内の色温度と、屋外色温度計測器１２から送信された屋外の色温度と、屋内明るさ計測器１３から送信された屋内の被写体の明るさと、屋外明るさ計測器１４から送信された屋外の被写体の明るさとを、制御線５を介して制御装置２０に送信する。例えば、制御線５として、ＤＭＸ制御用の制御線を用いることができる。
【００２８】
計測器１０は、図１では、一体型としてカメラ２上に設置されているが、屋内色温度計測器１１と屋外色温度計測器１２と屋内明るさ計測器１３と屋外明るさ計測器１４とが別個独立して設置されていてもよい。
【００２９】
制御装置２０は、図３に示すように、色温度データ収集部２１と、明るさデータ収集部２２と、色温度制御部２３と、明るさ制御部２４と、液晶ガラスインターフェース部２５と、表示部２６と、操作部２７とを具備している。
【００３０】
色温度データ収集部２１は、制御線５を介して計測器１０から送信された屋内の色温度及び屋外の色温度を収集して色温度制御部２３に送信する。色温度データ収集部２１は、所定周期で、屋内の色温度及び屋外の色温度を収集することができる。
【００３１】
明るさデータ収集部２２は、制御線５を介して計測器１０から送信された屋内の被写体の明るさ及び屋外の被写体の明るさを収集して明るさ制御部２４に送信する。明るさデータ収集部２２は、所定周期で、屋内の被写体１の明るさ及び屋外の被写体の明るさを収集することができる。
【００３２】
色温度制御部２３は、色温度データ収集部２１から送信された屋内の色温度及び屋外の色温度に基づいて、液晶ガラス４０を構成する色温度制御用液晶層（第２の液晶層）４３を駆動するための透明電極４１ａに印加する電圧を制御する色温度制御部である。
【００３３】
例えば、色温度制御部２３は、上述の屋内の色温度及び屋外の色温度が等しくなるように、色温度制御用液晶層（第２の液晶層）４３を駆動するための透明電極４１ａに印加する電圧を制御することができる。
【００３４】
明るさ制御部２４は、明るさデータ収集部２２から送信された屋内の被写体１の明るさ及び屋外の被写体の明るさに基づいて、液晶ガラス４０を構成する明るさ制御用液晶層（第１の液晶層）４４を駆動するための透明電極４１ｂに印加する電圧を制御する明るさ制御部である。
【００３５】
例えば、明るさ制御部２４は、上述の屋内の被写体１の明るさ及び屋外の被写体の明るさが等しくなるように、明るさ制御用液晶層（第１の液晶層）４４を駆動するための透明電極４１ｂに印加する電圧を制御することができる。
【００３６】
液晶ガラスインターフェース部２５は、制御線４を介して液晶ガラス４０の透明電極４１ａ乃至４１ｄに接続されており、色温度制御部２３及び明るさ制御部２４により生成された制御信号を液晶ガラス４０に送信するものである。例えば、制御線４として、ＤＭＸ制御用の制御線を用いることができる。
【００３７】
表示部２６は、色温度データ収集部２１によって収集された屋内の色温度及び屋外の色温度や、明るさデータ収集部２２によって収集された屋内の被写体１の明るさ及び屋外の被写体の明るさ等を表示する。
【００３８】
操作部２７は、放送現場のオペレータに対して、液晶ガラス４０の液晶層を構成する透明電極４１ａ及び４１ｂに印加する電圧を、手動で制御させるものである。
【００３９】
液晶ガラス４０は、図４に示すように、２枚の板ガラス４２の間に挿入された液晶層４３及び４４と、該液晶層の各々を駆動するための複数の透明電極４１ａ及び４１ｂとを有する調光ガラスである。
【００４０】
液晶ガラス４０は、例えば、ゲスト−ホスト型液晶材料（液晶分子４３ａ）により形成された第２の液晶層４３と、ゲスト−ホスト型液晶材料（液晶分子４４ａ）により形成された第１の液晶層４４と、それぞれの液晶層を駆動するための透明電極４１ａ及び４１ｂと、板ガラス４２ａと、ガラス基板４２ｂとを有する。
【００４１】
色温度制御用液晶層（第２の液晶層）４３は、透明電極４１ａによって駆動され、明るさ制御用液晶層（第１の液晶層）４４は、透明電極４１ｂによって駆動される。
【００４２】
ここで、透明電極４１ａに印加される電圧が増加するに従って、色温度制御用液晶層４３内の液晶分子４３ａが光の振動方向に対して直角になるため、色温度制御用液晶層４３内で吸収される光が減少していく。
【００４３】
かかる原理に基づいて、制御装置２０の色温度制御部２３は、色温度制御用液晶層４３を駆動する透明電極４１ａに印加される電圧を制御することで、屋外の色温度及び屋内の色温度が等しくなるように制御することができる。
【００４４】
なお、色温度制御用液晶層４３は、透明電極４１ａに印加される電圧によって、光の色温度を、約３２００Ｋ（ハロゲンライトの色温度）と約５６００Ｋ（外光の色温度）との間で変換できることが好ましい。
【００４５】
また、色温度制御用液晶層４３は、透明電極４１ａに印加される電圧によって、Ａ１〜Ａ５、Ｂ１〜Ｂ５、０のガラスフィルタを再現できるように構成されていることが好ましい。この結果、屋内照明器具として、ハロゲンライトや蛍光ライトやＨＭＩライト等を使用することができる。
【００４６】
例えば、昼間に、色温度制御用液晶層４３は、透明電極４１ａに印加される電圧によって、Ａ５のガラスフィルタを再現可能な状態に設定されている場合、外光の色温度（約５６００Ｋ）を約３２００Ｋに変換することができ、屋内照明器具は、ハロゲンライトによって製作され得る。
【００４７】
また、明るさ制御用液晶層４４は、透明電極４１ｂに印加される電圧によって、屋外から屋内に差し込む光量（光の明るさ）を、約０％〜１００％まで調整するものである。
【００４８】
かかる原理に基づいて、制御装置２０の明るさ制御部２４は、明るさ制御用液晶層４４を駆動する透明電極４１ｂに印加する電圧を制御することで、屋内の被写体の明るさ及び屋外の被写体の明るさが等しくなるように制御することができる。
【００４９】
例えば、屋内照明器具としてＨＭＩライトが用いられている場合、透明電極４１ｂに印加される電圧を制御することによって、屋内の明るさと屋外の明るさとを合わせることができる。この結果、屋内照明器具のセッティングを変える必要が無くなる。
【００５０】
以上の結果、従来のように、屋外の色温度及び明るさに合わせて屋内照明器具を製作する代わりに、屋内照明の色温度及び明るさに合わせて外光の色温度及び明るさを調整することができる。
【００５１】
ガラス基板４２ｂは、色温度制御用液晶層４３及び明るさ制御用液晶層４４を分離するために設けられている。ここで、ガラス基板４２ｂの代わりに、透明な絶縁物によって構成される基板（例えば、アクリル基板等）を用いてもよい。
【００５２】
（本実施形態に係る調光ガラス制御システムの動作）
上記構成を有する調光ガラス制御システムの動作について、図５及び図６を参照にして説明する。
【００５３】
図５は、本実施形態に係る調光ガラス制御システムにおいて、色温度を制御する動作を示すフローチャートである。
【００５４】
図５に示すように、ステップ５０１において、計測器１０の屋内色温度計測器１１が屋内の色温度を計測して、計測器１０の屋外色温度計測器１２が屋外の色温度を計測する。
【００５５】
ステップ５０２において、制御装置２０の色温度データ収集部２１が、制御線５を介して、所定周期で、計測器１０から屋内の色温度及び屋外の色温度を収集する。
【００５６】
ステップ５０３において、制御装置２０の色温度制御部２３が、屋内の色温度と屋外の色温度が等しいか否かを判断する。等しいと判断された場合、本動作は、ステップ５０１に戻る。一方、等しくないと判断された場合、制御装置２０の色温度制御部２３が、液晶ガラス４０の色温度制御用液晶層４３を駆動する透明電極４１ａに印加する電圧を変更する。
【００５７】
図６は、本実施形態に係る調光ガラス制御システムにおいて、明るさを制御する動作を示すフローチャートである。
【００５８】
図６に示すように、ステップ６０１において、計測器１０の屋内明るさ計測器１３が屋内の被写体１の明るさを計測して、計測器１０の屋外明るさ計測器１４が屋外の被写体の明るさを計測する。
【００５９】
ステップ６０２において、制御装置２０の明るさデータ収集部２２が、制御線５を介して、所定周期で、計測器１０から屋内の被写体１の明るさ及び屋外の被写体の明るさを収集する。
【００６０】
ステップ６０３において、制御装置２０の明るさ制御部２４が、屋内の被写体１の明るさと屋外の被写体の明るさが等しいか否かを判断する。等しいと判断された場合、本動作は、ステップ６０１に戻る。一方、等しくないと判断された場合、制御装置２０の明るさ制御部２４が、明るさ制御用液晶層４４を駆動する透明電極４１ｂに印加する電圧を変更する。
【００６１】
（本実施形態に係る調光ガラス制御システムの作用・効果）
本実施形態に係る調光ガラス制御システムによれば、色温度制御部２３が、屋内色温度計測器１１により計測された屋内の色温度と屋外色温度計測器１２により計測された屋外の色温度とに基づいて色温度制御用液晶層（第１の液晶層）４３を駆動する透明電極４１ａに印加する電圧を制御するため、屋内照明を変えることなく、外光の変化に追随して屋内と屋外の色温度の調整を自動的に行うことができる。
【００６２】
本実施形態に係る調光ガラス制御システムによれば、制御装置２０の明るさ制御部２４が、屋内明るさ計測器１３により計測された屋内の被写体１の明るさと屋外明るさ計測器１４により計測された屋外の被写体の明るさとに基づいて明るさ制御用液晶層（第２の液晶層）４４を駆動する透明電極４１ｂに印加する電圧を制御するため、減光フィルタを用いることなく、外光の変化に追随して屋内と屋外の明るさの調整を自動的に行うことができる。
【００６３】
（変更例１）
本発明に係る調光ガラス制御システムは、上述の実施形態１に限定されるものではなく、図７に示すように、液晶ガラス４０が、明るさ制御用液晶層（第２の液晶層）４４の代わりに、エレクトロクロミックデバイス層４５を有する構成をとってもよい。
【００６４】
エレクトロクロミックデバイス層４５は、透明電極４１ｃと電解質４４ａとエレクトロクロミック材料４４ｂとによって構成される。エレクトロクロミックデバイス層４５は、透明電極４１ｃに印加される電圧に応じて、光の透過率を可変とするものである。エレクトロクロミックデバイス層４５の一例として、酸化タングステンが知られている。
【００６５】
かかる原理に基づいて、制御装置２０の明るさ制御部２４は、エレクトロクロミックデバイス層４５を駆動する透明電極４１ｃに印加する電圧を制御することで、屋内の被写体の明るさ及び屋外の被写体の明るさが等しくなるように制御することができる。
【００６６】
また、本実施形態に係る調光ガラス制御システムによれば、明るさ制御部２４が、屋内明るさ計測器１３により計測された屋内の被写体１の明るさと屋外明るさ計測器１４により計測された屋外の被写体の明るさとに基づいてエレクトロクロミックデバイス層４５に印加する電圧を制御するため、減光フィルタを用いることなく、外光の変化に追随して屋内と屋外の明るさの調整を自動的に行うことができる。
【００６７】
（変更例２）
また、本発明に係る調光ガラス制御システムは、図８に示すように、液晶ガラス４０が、色温度制御用液晶層（第２の液晶層）４３を有しない構成をとってもよい。本変更例に係る調光ガラス制御システムでは、制御装置２０の色温度制御部２３及び明るさ制御部２４が、協同して、色温度及び明るさ制御用液晶層（第１の液晶層兼第２の液晶層）４７を駆動する透明電極４１ｄに印加する電圧を制御することで、屋内の色温度及び屋外の色温度が等しくなるように、かつ屋内の被写体の明るさ及び屋外の被写体の明るさが等しくなるように制御することができる。
【００６８】
【発明の効果】
本発明によれば、液晶ガラス４０のような調光ガラスを用いることによって、放送現場において柔軟に外光の変化に対応することを可能とする調光ガラス制御システムを提供することができる。
【図面の簡単な説明】
【図１】本発明の一実施形態に係る調光ガラス制御システムの全体構成図である。
【図２】本発明の一実施形態に係る調光ガラス制御システムを構成する計測器の機能ブロック図である。
【図３】本発明の一実施形態に係る調光ガラス制御システムを構成する制御装置の機能ブロック図である。
【図４】本発明の一実施形態に係る調光ガラス制御システムを構成する液晶ガラスの構造を示す図である。
【図５】本発明の一実施形態に係る調光ガラス制御システムにおいて、色温度の制御を行う動作を示すフローチャートである。
【図６】本発明の一実施形態に係る調光ガラス制御システムにおいて、明るさの制御を行う動作を示すフローチャートである。
【図７】本発明の一変更例に係る調光ガラス制御システムを構成する液晶ガラスの構造を示す図である。
【図８】本発明の一変更例に係る調光ガラス制御システムを構成する液晶ガラスの構造を示す図である。
【符号の説明】
１…人物
２…カメラ
３…照明
４、５…制御線
１０…計測器
１１…屋内色温度計測器
１２…屋外色温度計測器
１３…屋内明るさ計測器
１４…屋外明るさ計測器
１５…制御装置インターフェース部
２０…制御装置
２１…色温度データ収集部
２２…明るさデータ収集部
２３…色温度制御部
２４…明るさ制御部
２５…液晶ガラスインターフェース部
２６…表示部
２７…操作部
４０…液晶ガラス
４１ａ、４１ｂ、４１ｃ、４１ｄ…透明電極
４２ａ…板ガラス
４２ｂ…ガラス基板
４３…色温度制御用液晶層
４３ａ、４４ａ…液晶分子
４４…明るさ制御用液晶層
４４ａ…電解質
４４ｂ…エレクトロクロミック材料
４５…エレクトロクロミックデバイス層
４６…減光フィルタ
４７…色温度及び明るさ制御用液晶層
【図１】
2004150201.tif 000003
【図２】
2004150201.tif 000004
【図３】
2004150201.tif 000005
【図４】
2004150201.tif 000006
【図５】
2004150201.tif 000007
【図６】
2004150201.tif 000008
【図７】
2004150201.tif 000009
【図８】
2004150201.tif 000010